(57)【要約】【課題】  箱詰めされたプラスチック袋を、片手で容易に一袋づつ取り出すことのできるプラスチック袋用収納箱を提供する。【解決手段】  側面と底面の稜線から、天面を通って相対面する側面と底面の稜線に、連続する易切断部を設ける。好ましくは、易切断部より切り離される側面の左右を同型にする。好ましくは、易切断部による切除部を帯状とする。好ましくは、天面の易切断部の切除による切除部が、天面のほぼ中央部において他の部分より広幅とする。【選択図】      図１ 
2005200063.tif 000002
【特許請求の範囲】
【請求項１】
側面と底面の稜線から、天面を通って相対面する側面と底面の稜線に、連続する易切断部を有することを特徴とするプラスチック袋用収納箱。
【請求項２】
易切断部より切り離される側面の左右が、同型であることを特徴とする請求項１記載のプラスチック袋用収納箱。
【請求項３】
易切断部の切断による切除部が、帯状であることを特徴とする請求項１乃至２のいずれかに記載のプラスチック袋用収納箱。
【請求項４】
天面の易切断部の切断による切除部が、天面のほぼ中央部において他の部分より広幅であることを特徴とする請求項３記載のプラスチック袋用収納箱。
【発明の詳細な説明】
【技術分野】
【０００１】
本発明は、プラスチックフィルムよりなる袋を収納する箱に関するものである。具体的には、プラスチック袋を複数枚重ねて収納し、一袋ずつ容易に取り出すことのできるプラスチック袋用収納箱に関するものである。
【背景技術】
【０００２】
プラスチック袋の収納箱としては、「各袋のつぎ目近傍に脆弱切目を入れて巻き取った合成樹脂フィルム製の連続袋を、その連続袋が巻取軸を中心にして回転可能な大きさに形成した箱状容器に収容する一方、前記軸と平行な前記容器の壁面の略中央部に、前記袋が収納状態において挿通可能な程度の穴を形成すると共に、この穴の内周側に、ゴム系又は合成樹脂系の摩擦部材を取付けて成ることを特徴とする巻取り連続袋の切取り容器」が特許文献１に記載されている。又、「長手方向と直交する方向に加熱接着線とミシン目とを接近して設けた筒状プラスチックフィルム長尺物である袋連設体を、直方体状の箱体内に蛇腹状に折り畳んで収納し、該箱体の天面には、該袋連設体の一端を取り出すためのスリット又は孔が、予め或いはミシン目として設けられているものであることを特徴とするプラスチック袋収納体」が特許文献２に記載されている。
【０００３】
これら特許文献に記載された「巻取り連続袋の切取り容器」や「プラスチック袋収納体」は、連続した袋体を収納する箱に関するもので、収納箱より連続した袋体を引き出して「脆弱切目」や「ミシン目」から切断して使用されるものである。しかし、これら「脆弱切目」や「ミシン目」からの切断には、両手を使用しないと切り離しが難いので、品物を袋詰めするのに手間取る。
【特許文献１】実開平０６−０６７３１９号公報
【特許文献２】特開平０９−１４２６０４号公報
【発明の開示】
【発明が解決しようとする課題】
【０００４】
本発明は、箱詰めされたプラスチック袋を、片手で容易に一袋づつ取り出すことのできるプラスチック袋用収納箱を提供しようとするものである。
【課題を解決するための手段】
【０００５】
本発明は、上記課題を解決するために、次のような手段を講じた。即ち
側面と底面の稜線から、天面を通って相対面する側面と底面の稜線に、連続する易切断部を設ける。
好ましくは、易切断部より切り離される側面の左右を同型にする。
好ましくは、易切断部の切断による切除部を帯状とする。
好ましくは、天面の易切断部の切断による切除部を天面のほぼ中央部において他の部分より広幅とする。
【発明の効果】
【０００６】
本発明のプラスチック袋用収納箱は、収納されたプラスチック袋を片手でも容易に一袋づつ取り出すことができるので、内容物を収納する作業が容易である。例えは、スーパーで買い物をした品物をレジ脇の机の上で袋詰めする際等に非常に好適である。
【発明を実施するための最良の形態】
【０００７】
本発明のプラスチック袋用収納箱の材質としては、特に限定されるものではないが、一般的には、厚紙が好ましい。又、形状についても特に限定されるものではないが、プラスチック袋は一般に矩形であるので、立方体や直方体が好ましい。
更に、プラスチック袋用収納箱の大きさについても、特に限定されるものではなく、プラスチック袋の大きさや形状により、適宜選択されればよい。例えば、矩形のプラスチック袋を一袋づつ重ねて収納する際には、箱の内側の縦方向と横方向の長さが、プラスチック袋の縦方向と横方向の長さとほぼ同じ長さにするか、或いは、若干大き目にするのが好ましい。又、矩形のプラスチック袋を折り畳んで重ね合わせる場合には、箱の内側の縦方向と横方向を、折り畳まれたプラスチック袋の縦方向と横方向の長さとほぼ同じ長さにするか、或いは、若干大き目にするのが好ましい。又、箱の深さは、収納するプラスチック袋を一袋づつ重ね合わせた高さや、折り畳まれたプラスチック袋を重ね合わされた高さとほぼ同じにするか、或いは、若干深くするのが好ましい。具体的には、縦方向が２００〜５００ｍｍ、横方向が１００〜３００ｍｍ、高さが１０〜５０ｍｍの直方体が挙げられる。
【０００８】
本発明のプラスチック袋用収納箱は、側面と底面の稜線から、天面を通って相対面する側面と底面の稜線まで連続する易切断部を有することを最大の特徴とする。
まず、本発明のプラスチック袋用収納箱に施される易切断部としては、ミシン目は勿論、Ｖ字やＬ字等の切れ目を適宜間隔をおいて連続的に設けたもの等を意味する。又、「開封テープ」としてよく知られているような、糸やプラスチックテープを貼付したものも含まれる。
尚、プラスチック袋用収納箱が直方体の場合には、易切断部を該収納箱の短い辺に並列するように設けるのが、収納されたプラスチック袋を取り出し易くなるので好ましい。
【０００９】
又、易切断部は、側面と底面の稜線から、天面を通って相対面する側面と底面の稜線まで連続していることが必要である。
プラスチック袋用収納箱の側面と底部の稜線に易切断部が設けられる位置や、側面或いは天面に易切断部が設けられる位置については、特に限定されるものではないが、易切断部によって切り離された側面の左右が同型になるのが好ましい。切り離された側面の左右が同型であると、下記説明する如く、易切断部を切断して該収納箱を折り曲げた際に、折り曲げられ左右の側面（隣接する側面）の形状が同じになるので、折り曲げ部を上側にして立てらせてることができる。即ち、折り曲げた状態で自立させることが可能である。
【００１０】
更に、本発明のプラスチック袋用収納箱は、易切断部の切断による切除部が帯状になるようなにするのが好ましい。切除部を帯状にするには、易切断部を２本並列に設けることが必要である。
易切断部の切断による切除部が帯状であると、切り離された帯状体の一端を引っ張ることにより、易切断部の全てを一度に切断させることができる。更に、下記説明する如く、帯状の切除部を取り除いてから該収納箱を折り曲げた際、収納されているプラスチック袋の折り曲げ部が収納箱の天面の折り曲げ部より露出する量が多くなり、プラスチック袋が摘み易くなるので取り出しが容易である。
【００１１】
又、天面の易切断部の切断による切除部は、天面のほぼ中央部において他の部分よりも広幅になっているのが好ましい。例えば、天面の切除部が木の葉状や円形状、或いは、菱形状になっているのが好ましい。天面のほぼ中央部が他の部分より広幅になっていると、上記切除部が帯状の場合よりも更に、収納されたプラスチック袋の折り曲げ部が折り曲げられた収納箱の中央部より露出する量が更に多くなり、取り出しが更に容易になる。
【００１２】
尚、易切断部の切断による切除部は、側面においては帯状で、天面においては木の葉状等の形状をしていてもよい。又、側面は１本の易切断部で、天面が２本の並列した易切断部で、帯状や木の葉状等の切除部を形成するものであってもよい。
又、側面と底面の稜線に接する易切断部の位置から、底面を通って相対面する側面と底面の稜線に接する易切断部の位置に、連続或いは不連続の易折曲部が設けられているのが好ましい。易折曲部は、底面材が厚紙等からなる場合、線状に押圧すること等により容易に得られる。尚、２本の易切断部が側面と底面の稜線に接しているときには、その稜線の中間点に易折曲部が位置するのが好ましい。
【００１３】
次に、本発明のプラスチック袋用収納箱の使用方法について説明する。
まず、プラスチック袋が一袋づつ重ね合わされて、或いは、一袋づつ折り畳まれたプラスチック袋が重ね合わされて本発明のプラスチック袋用収納箱に収められる。
そして、本発明のプラスチック袋用収納箱に収納されたプラスチック袋を一袋づつ取り出す際には、まず、易切断部を切断する。易切断部が２本並列してい場合には、該切断部を切断して、帯状や木の葉状等の切除部を形成する。そして、側面と底面の稜線に易切断部が接している位置から、底面を通って相対面する側面と底面の稜線に易切断部が接する位置の直線を折り目とし、天面の切断部或いは切除部を上側にし、底面の両端が接するように折り曲げる。側面の易切断部が２本の場合には、それらの易切断部が側面と底面の稜線に接する位置の中間点を折り目とするのが好ましい。
【００１４】
本発明のプラスチック袋用収納箱の易切断部を切断してから該収納箱を折り曲げると、底面の折り目にプラスチック袋が掛けられたような状態で、プラスチック袋の折り目が天面の折り目から露出した状態になる。
そこで、折り曲げられプラスチック袋用収納の天面の折り目から露出したこのプラスチック袋の折り目部を指先で摘み、引き出して一袋づつ取り出す。
【００１５】
以下、図面により本発明のプラスチック袋用収納箱の一例を説明する。
図１は、本発明のプラスチック袋用収納箱の斜視図である。
プラスチック袋用収納箱（１）の側面（２１）と底面の稜線（２３）から、天面（３）を通って、相対面する側面（２２）と底面の稜線（２４）に、連続する易切断部（４１）、（４２）が２本並列に設けられている。
尚、易切断部は、両側面においては平行に設けられ、切除部（５）が帯状を形成するようになっている。天面の両端においても、易切断部は平行に設けられて切除部は帯状を形成するようになっているが、天面の中心部においては中央部が幅広になるように並列に設けられて木の葉状を形成するようになっている。
【００１６】
図２は、図１に示されたプラスチック袋用収納箱からプラスチック袋を取り出す時の斜視図である。
まず、プラスチック袋用収納箱の易切断部より切り離して両側面と天面の両端部に帯状の切除部が、天面の中央部に木の葉状の切除部が形成される。
そして、プラスチック袋用収納箱（１）の側面（２１）と底面の稜線（２３）接する易切断部から底面を通って相対面する側面（２３）と底面の稜線（２４）に接する易切断部の直線を折り目（６）とし、底面の両端が接するように折り曲げられ、易切断部が交わらない側面（二つの面）を底面として自立している。又、天面の中央部に設けた木の葉状の切除部が、底面の折り目の中央部に円弧状の欠如部（７）を形成している。
その結果、収納されたプラスチック袋は、底面の折り目（６）に掛けられた状態になり、折り目の中央部に形成した天面の円弧状の欠如部（７）からプラスチック袋が露出し、プラスチック袋が一袋づつ取り出すされる。
【産業上の利用可能性】
【００１７】
本発明のプラスチック袋用収納箱は、プラスチック袋を一袋ずつ片手で容易に取り出すことができるので、スーパー等で買った商品を袋詰めするのに便利である。
又、本発明のプラスチック袋用収納箱は、特別の付属装置を必要とせずとも、折り曲げて自立させることができるので、家庭等での使用に好適である。
【図面の簡単な説明】
【００１８】
【図１】本発明のプラスチック袋用収納箱の一例を示す斜視図である。
【図２】図１のプラスチック袋の収納箱より収納されたプラスチック袋を取りだす時の状態を示す斜視図である。
【符号の説明】
【００１９】
１．          本発明のプラスチック袋用収納箱
２１．２２．  側面
２３．２４．  稜線
３．          天面
４１．４２．  易切断部
５．          切除部
６．          折り目
７．          欠如部
【図１】
2005200063.tif 000003
【図２】
2005200063.tif 000004